(57)【要約】【課題】本発明は、硬質で急勾配の法面においても客土の流失を抑えるとともに通水性の優れた法面の緑化構造及び緑化工法を提供することを目的とする。【解決手段】帯状の通水シート７が法面１の傾斜方向に対して傾いた状態で所定間隔置いて張設されおり、通水シート７を含む法面全体を被覆するように、植物の種子を含む客土２が法面１に積層されている。そして、法面１に対して垂直に複数の孔部３が穿孔され、孔部３に予めポット４ａに植えられた苗木４が植栽されている。苗木４の根元部分には、根元部分を囲むように、上面が白色の植栽シート５が張設されており、苗木４が法面１に挿し込まれた支持柱９によって支持されている。【選択図】図２
2006118282.tif 000002
【特許請求の範囲】
【請求項１】
法面の表面に傾斜方向に対して傾いた状態で所定間隔置いて張設された複数の帯状通水シートと、前記通水シートを含む法面全体を被覆するように積層されるとともに植物の種子を含む客土層と、法面に対して垂直に穿設された複数の孔部にそれぞれ植栽された複数の苗木と、苗木の根元部分を囲むように被覆する土壌カバーシートとを備えたことを特徴とする法面の緑化構造。
【請求項２】
前記通水シートは、パイル地を有する織物からなることを特徴とする請求項１に記載の法面の緑化構造。
【請求項３】
前記土壌カバーシートは、表面が太陽光を反射する白色系の色を有することを特徴とする請求項１又は２に記載の法面の緑化構造。
【請求項４】
法面の表面に傾斜方向に対して傾いた状態で所定間隔置いて複数の帯状通水シートを張設し、前記通水シートを含む法面全体に植物の種子を含む客土を吹き付けて被覆し、客土が吹き付けられた法面に対して垂直に複数の孔部を穿設してそれぞれの孔部に苗木を植栽し、植栽された各苗木の根元部分を囲むように土壌カバーシートで被覆することを特徴とする法面の緑化工法。
【発明の詳細な説明】
【技術分野】
【０００１】
本発明は、法面の緑化構造及び緑化工法に関するものであり、特に硬質な法面にも緑化可能な緑化構造及び緑化工法に関する。
【背景技術】
【０００２】
従来より、環境問題への関心の高まりや土砂災害の防止の観点から土木工事により形成された法面に対して緑化構造及び緑化工法を行うことが行われており、そのための様々な緑化資材が開発されている。例えば、特許文献１には、各種天然繊維、合成樹脂繊維の一又は二以上をもって粗なる状態に絡み合わせ、繊維間を接着剤にて一体とした所要厚の板状とすると共にこれに所要の間隔をあけて植林用の孔を穿孔し、植林すべき場所に敷設し、穿孔内に植林するようになした植林用マットが記載されている。また、特許文献２には、急勾配法面地山全面に不織布を敷き、この上からアンカーを打設して不織布のずれ止めを施し、不織布上に連続長繊維と礫とを混合した覆工を施し、この覆工上に緑化部を施すことを特徴とする湛水池等の急勾配法面防護、緑化方法が記載されている。また、特許文献３には、網状体を法面上に張設し、樹木苗の植生ポットと、除草剤を含浸させたマットとを、マットがポットの底部まわりを覆うように、法面上に分散させた状態と成し、草本種子を含む客土を植生ポット周域の法面上に吹き付けて、草本種子を植生ポット周域で生育させないようにする法面の緑化工法が記載されている。また、特許文献４には、網体を張設した法面上に植生基盤を吹き付けた後、矩形状の網体からなる土留め部とその下端に延びる櫛歯状の差込部とを有する櫛形網体を適宜間隔で差し込んで、櫛形網体の土留め部によって植生基盤材を保持させる法面の緑化工法が記載されている。
【特許文献１】実開昭５６−５０２５５号公報
【特許文献２】特開平８−１２０６４０号公報
【特許文献３】特許第３１３０８４４号公報
【特許文献４】特開２００１−３２２８３号公報
【発明の開示】
【発明が解決しようとする課題】
【０００３】
特許文献１及び特許文献３においては、法面における客土や表土の降雨による流失を防止する為の対策がなされておらず、急勾配の岩盤等においては、緑化が困難である。また、特許文献２においては、急勾配の法面に緑化可能となっているが、緑化部は草花程度で、法面に樹木を植栽することは困難である。また、特許文献４においては、簡単な工程で植生基盤が保持されるようにしているが、法面が階段状となり、また、櫛形網体が耐腐食性を有するものであるので、自然な緑化を行うことができない。
【０００４】
そこで、本発明は、硬質で急勾配の法面においても客土の流失を抑えるとともに通水性の優れた法面の緑化構造及び緑化工法を提供することを目的とする。
【課題を解決するための手段】
【０００５】
本発明に係る法面の緑化構造は、法面の表面に傾斜方向に対して傾いた状態で所定間隔置いて張設された複数の帯状通水シートと、前記通水シートを含む法面全体を被覆するように積層されるとともに植物の種子を含む客土層と、法面に対して垂直に穿設された複数の孔部にそれぞれ植栽された複数の苗木と、苗木の根元部分を囲むように被覆する土壌カバーシートとを備えたことを特徴とする。さらに、前記通水シートは、パイル地を有する織物からなることを特徴とする。さらに、前記土壌カバーシートは、表面が太陽光を反射する白色系の色を有することを特徴とする。
【０００６】
本発明に係る法面の緑化方法は、法面の表面に傾斜方向に対して傾いた状態で所定間隔置いて複数の帯状通水シートを張設し、前記通水シートを含む法面全体に植物の種子を含む客土を吹き付けて被覆し、客土が吹き付けられた法面に対して垂直に複数の孔部を穿設してそれぞれの孔部に苗木を植栽し、植栽された各苗木の根元部分を囲むように土壌カバーシートで被覆することを特徴とする。
【発明の効果】
【０００７】
上記のような構成を有することで、帯状の通水シートを法面の傾斜方向に対して傾いた状態で所定間隔置いて張設しているので、通水シートを通る水の流れは法面の傾斜方向よりも緩やかな傾斜を流れるようになり、また、通水シート間の水の流れも通水シートに到達すると、通水シートに沿って流れるようになるため、流れが緩やかになる。したがって、法面の傾斜方向が急傾斜の場合でも法面の水の流れを緩やかにすることができ、そのため客土の流失を抑えることができる。そして、通水シートを所定間隔置いて張設しているので、通水シートの間では水の流れが通水シート内よりも速くなり、その分排水効率がよくなる。
【０００８】
なお、本発明において帯状の通水シートは、複数のシート片を繋ぎ合せて全体として帯状に張設されている場合も含んでいる。
【０００９】
また、法面全体に客土層を被覆して法面に垂直に孔部を穿設して苗木を植栽しているので、苗木の根付きがよくなる。そして、苗木の根元部分を囲むように土壌カバーシートで被覆することで、苗木の根元部分で客土層に含まれる植物の種子の発芽及び生育を抑えて苗木の成長を助長することができる。
【００１０】
また、通水シートとしてパイル地の織物を用いることで、パイル地の間に客土が保持されて客土の流失がさらに抑止することが可能となる。また、表面が太陽光を反射する白色系の色を有する土壌カバーシートを用いることで、苗木の根元部分で太陽光の反射効率が向上して苗木の下からも太陽光が入射するようになり、苗木の成長を促進することができる。そして、土壌カバーシートの下方への太陽光の入射が抑えられるため、苗木の根元部分では植物の成長が阻害されて苗木のみが成長できるようになる。
【発明を実施するための最良の形態】
【００１１】
以下、本発明を添付図面に示す実施形態に基づいて詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１２】
本発明が適用される法面としては、例えば、図１１に示すように山の斜面を一定の傾斜で切削して形成された傾斜面１００が代表的な例として挙げられる。これ以外にも土砂を人工的に積み上げて形成された斜面にも適用可能である。
【００１３】
図１は、本発明に係る実施形態に関する全体概略図で、法面１の上方から垂直方向に見た図である。また、図２は、図１のＡ−Ａ位置での概略断面図である。法面１上には、図１の鎖線のハッチングで示すように法面１の傾斜方向（Ａ−Ａ方向）に対して張設角度ａが約４５度となるように複数のアンカーピン等にて帯状の通水シート７が張設されている。通水シート７は、図３に示すような天然繊維が０〜５０％でそれ以外の繊維が合成繊維から成るパイル地の織物からなり、保水性を有している。通水シートとしては、幅１ｍ、長さ２．５ｍ〜３ｍ、パイル長１．６ｍｍの織物を繋ぎ合わせて帯状にしたものが好ましい。こうした通水シートを用いることで、保水性の低い法面部１であっても、通水シート７に水分を蓄えて、法面部１の乾燥を防ぐことができる。通水シート７のパイル長は１．６ｍｍに限らず長さの異なるものを用いてもよく、長いものを用いれば保水性は高くなり、短いものを用いれば保水性は低くなる。簡易的に、通水シートを複数枚重ねて張設することで保水性を高くしてもよい。
【００１４】
また、隣接する通水シート７の間の間隔は１．５ｍ〜２ｍで、法面１の面積の約４５％〜５０％が被覆されるように設定するとよい。
【００１５】
さらに法面１には、通水シート７を含めて全面を被覆するように、客土２が厚さ約１５ｍｍ〜４５ｍｍで吹き付けられている。客土２は公知のものを使用すればよい。例えば、土壌成分、接着剤（糊）及び植物の種子（スミレ、レンゲ、クローバ等）からなる。種子として草花の種子を用いるようにすれば、虫を誘引するようになり好ましい。通水シート７上に吹き付けられた客土２は、パイル地に入り込むようにして、より強固に保持されて、更に客土２の成分として土壌とともに接着剤（糊）を有していることにより、客土２全体として風雨等により流失又は崩壊しないように保持されるようになる。また、従来のように全面に張設する必要がないので、作業効率が良くなると共にコストを抑えることができる。
【００１６】
また、法面１に対してほぼ垂直方向に孔部３が穿設されている。本実施形態においては、公知のエア穿孔機を用いて、径が約１２０ｍｍで深さが約２５０ｍｍ程度の孔を穿孔すればよい。孔部３の位置は、図１に示すように通水シート７の法面１に対する張設角度ａと同様にすることが好ましく、さらに通水シート７の下側であることが好ましい。このような位置に苗木４を植栽すれば通水と保水が好ましい状態にすることができる。孔部３の間隔は、植栽する苗木にもよるが、１ｍ程度が好ましい。
【００１７】
そして、穿孔された孔部３に、筒状のポット４ａで予め生育された苗木４がポット４ａごと挿入されて、周囲の客土２により隙間を充填して固定されている。ポット４ａとしては、竹筒や紙筒等の自然に腐食する材料で製造されたものが好ましい。前述の孔部３が法面１に対してほぼ垂直方向に穿孔されているので、苗木４も法面１に対してほぼ垂直方向に立設して植栽されることになる。ポットに生育された苗木を用いることで、植栽作業がが容易となり効率化である。
【００１８】
苗木４の根元部分には、中心部分に貫通孔を有した平面視矩形の植栽シート５が根元部分を囲むように客土２上に配されている。そして、植栽シート５は複数のアンカーピン６で法面１にずれないように固定されている。アンカーピン６の材質は、金属、合成樹脂、木、竹等から選択すればよい。図４は、植栽シート５の平面図（図４（ａ））及びＢ−Ｂ位置での概略断面図（図４（ｂ））を示している。植栽シート５の中心部分には、貫通孔５ｄが形成されており、貫通孔５ｄから、シート縁部に向かって、切り込みが設けられている。また、予め貫通孔５ｄや切り込みを設けることはせずに、後から必要に応じて切り込みを入れるようにしてもよい。
【００１９】
また、植栽シート５は、図４（ｂ）に示すように、三層が一体の朱子織の織物構造からなり、シート全体が通気性及び透水性を有する。また、山火事等の防止の観点から難燃性を有していることが好ましく、繊維素材としては有機高分子、例えば、ポリエステル繊維等が好ましい。そして、上面層５ａ及び下面層５ｃは白色系の反射シート、中間層５は濃色系の遮光シートとなっている。そして、植栽シート５には光触媒効果を得る為に酸化チタンを付着させておくことが好ましく、例えば粉末の酸化チタンをバインダと水により植栽シート５表面に接着するようにすればよい。
【００２０】
また、法面１に挿し込まれた支柱９が苗木４に添うように設けられている。支柱９としては、金属製で、直径が２２ｍｍ、長さ１５００ｍｍ程度のものが好ましい。支柱９の埋設部分は、法面１に５００ｍｍ以上埋め込まれており、地上部分の端部には塩化ビニル製のキャップがなされている。そして、支柱９と苗木４は紐等で結束されて固定されている。
【００２１】
法面１の表面積が大きい場合や急斜面に形成されている場合には、図５に示すように、崩落を避ける為に途中に水平面状に小段部１０が形成される。こうした小段部１０では、図１及び図２の法面１に対する構造と異なり、客土２中に通水シート７が張設されておらず、図５に示すように、植栽シート５として長尺状のものが張設されている。
【００２２】
上述のような緑化構造により、法面１上に、法面１の傾斜方向に対して張設角度ａが約４５度となるように複数のアンカーピン等にて通水シート７が張設されているので、降雨による雨水は、通水シート７内を流れるとともに通水シート７の張設されていない部分では客土２中を図１の鎖線矢印８で示すように通水シート７の上側に沿って斜め下方向に向かって集水して流れるようになる。雨水が法面１を斜めに流れることにより、雨水の流速が通常より緩やかにとなり、客土２の流失を防ぐことが可能となる。
【００２３】
以上説明した例では、通水シート７の張設角度ａは４５度としているが、法面１の勾配によって適宜調整すればよい。法面部１の勾配が急である場合は張設角度を４５度より小さくし、法面１の勾配が緩やかである場合は４５度より大きくすることで、法面を流れる雨水の速度を調整することができ、客土の流失を抑えると共に適度な排水が可能となる。
【００２４】
孔部３が法面１に対してほぼ垂直に穿設されて、孔部３に植栽される苗木４も法面１に対してほぼ垂直に植栽されるので、根が養分を吸収しやすく、根張りがよく、成長が促進される。また、孔部３の位置が図１に示すように通水シート７の法面１に対する張設角度ａと同様の角度で、さらに通水シート７の下側とすることにより、苗木４が集水部分８を避けた位置に植栽されることになり、雨水等で根の周りの客土２が流されて苗木４が倒れたり、枯れてしまうといったことない。さらに、通水シート７のパイル地に保水された水分が苗木４の根元部分に徐々に滲み出して補給され良好な生育環境となる。
【００２５】
植栽シート５が貫通孔５ｄから、シート縁部に向かって、切り込みが設けられていることにより、苗木４の根元部分に植栽シート５を張設する際に、苗木４の高さが高い場合や、枝振りが貫通孔５ｄより大きい場合でも、切り込みから容易に苗木４を通すことができて作業が効率的である。
【００２６】
植栽シート５が三層が朱子織の織物構造で上面層５ａ及び下面層５ｃは白色系の反射シート、中間層５は濃色系の遮光シートとなっていることで、図６の斜視図に示すように、白色系の上面層５ａにより鎖線矢印のように照射される太陽光を十分に反射して、その反射光が苗木４を下方から照射するようになり、苗木４十分な太陽光が与えられて成長を促進する効果が得られる。本発明者の実験によれば、植栽シート５を使用した場合、使用しない場合に比べ約１．３倍の速度で成長することがわかっている。また、苗木の葉の裏側に太陽光が照射することで葉の裏側への害虫被害を防止することにもなる。
【００２７】
そして、上面層５ａを透過した太陽光は、濃色系の中間層５ｂにより吸収されて、中間層５ｂを透過した太陽光も白色系の下面層５ｃにより反射されるため、客土２への太陽光の照射がほとんど阻止されるようになり、苗木４の根元部分での草花の成長が阻害されるので、客土２からの草花の成長による苗木４への影響はなくなる。
【００２８】
また、植栽シート５の透水性により、雨水が苗木４の根に十分行き渡り、成長を阻害することがなく、植栽シート５の通気性により、法面部１の過剰な水分を蒸発することができるので、良好な苗木４の生育環境とすることができる。
【００２９】
更に、植栽シート５に酸化チタンを入れて光触媒効果が得られるようにすると、植栽シート５に太陽光中の紫外線が当たると、酸化チタンの光触媒効果によって、砂埃や虫による白色系の上面層５ａ表面の汚れが付着しにくく、また、付着した場合も雨により流されやすくなり、長期にわたり白度が維持できるとともに、植栽シート５の繊維素材がポリエステル繊維等の有機高分子からなる場合は太陽光の照射による劣化が進み、苗木４の成長とともに植栽シート５が分解されて、苗木４が十分成長した後に根元部分に客土２内の種子が発芽して草花が生えてくるようになり、最終的には草花と樹木による自然な状態となる。
【００３０】
さらに、法面１に挿し込まれた支柱９により、苗木４が確実に支持されるようになるので、根が付く前に、苗木４の根元部分の客土２が崩れたり、強風にさらされたとしても、苗木４の倒壊を防止する。また、支柱の地上部分の端部に塩化ビニル製のキャップがなされることにより、金属の切断面で作業者が怪我することがないように安全が確保される。
【００３１】
なお、苗木４の植栽位置は、通水シート７上側の集水部分８を避けることが好ましいが、例えば図７に示すように通水シート７上に植栽したり、図８に示すように密に植栽することも可能である。
【００３２】
また、小段部１０では、法面の傾斜面にように雨水の流れが生じないので、通水シート７を必要としない。植栽シート５としてロール状に巻かれた長尺のものを張設するようにすれば、施工が容易に行える。
【００３３】
次に、上述のような緑化構造を施工するための緑化工法について説明する。まず、法面１に通水シート７をアンカーピン等で張設する。次に、通水シート７面も含め全面に客土２を吹き付ける。次に、穿孔機で孔部３の穿孔を行い、穿孔された孔部３に、予めポット４ａに植えられた苗木４を植栽する。次に、植栽された苗木４の根元部分に、植栽シート５を張設していく。次に、苗木４を支持するために支持柱９を差し込んでいくようにする。
【００３４】
小段部１０に対する緑化構造の緑化工程は、法面１における通水シートの張設は行わずに、小段部１０全面に客土２の吹き付けを行った後、長尺状の植栽シートを張設して所定間隔ずつ置いて植栽用の切込みを入れていく。そして、切り込みに穿孔機で孔部３を形成してポット４ａで生育された苗木４を植栽する。
【００３５】
上記のように客土２を全面に吹き付けてから穿孔して苗木４を植栽することにより、従来のように苗木４を法面に配置してから客土を吹き付ける場合に比べて、客土２の吹き付けが容易で確実に全面になされると共に、作業中に固定されていない苗木４が傾いたりすることなく、確実に植栽可能である。
【００３６】
また、客土２を吹き付けてから植栽シート５を張設するようにしているので、植栽シート５が客土２を被覆するようになり、苗木の根元部分の客土２が風雨によって流失又は崩壊しないように植栽シート５によって保持される。
【００３７】
図９は、以上説明した緑化構造の所定期間経過後の状態を示している。緑化構造の施工から、所定期間経過すると、客土２中の種子や飛来した雑草の種子から草花が発芽してくる。しかし、植栽シート５が張設されているので、図９に示すように苗木４の根元部分には草花が発芽することがなく、苗木４の成長を阻害されることがない。
【００３８】
また、図９の状態から所定期間経過後の状態を図１０に示す。図９の状態から所定期間が経過すると、植栽シート５の繊維素材がポリエステル等の有機高分子からなるので、劣化が進み、苗木４が十分成長した段階で図１０に示すように植栽シート５が分解されて苗木４の根元部分にも草花が生えてくるようになり、最終的には、草花と樹木による安定した植生環境が生じるようになる。これにより、例えば土砂採取現場等の硬質で急勾配の法面においても客土が流失せずに樹木と草花による安定した植生環境を生成し、こうした緑化構造により長期にわたって法面の災害防止が可能となる。
【図面の簡単な説明】
【００３９】
【図１】本発明に係る実施形態に関する全体概略図である。
【図２】図１のＡ−Ａ位置での概略断面図である。
【図３】植栽シートの平面図である。
【図４】図３のＢ−Ｂ位置での断面図である。
【図５】小段部の緑化構造に関する概略斜視図である。
【図６】本発明に係る実施形態における苗木の植栽状態を示す斜視図である。
【図７】本発明に係る変形例に関する全体概略図である。
【図８】本発明に係る変形例に関する全体概略図である。
【図９】本発明に係る実施形態の所定期間経過後の全体概略図である。
【図１０】図９の状態から所定期間経過後の全体概略図である。
【図１１】法面に関する代表例を示す斜視図である。
【符号の説明】
【００４０】
１    法面
２    客土
３    孔部
４    苗木
4a    ポット
５    植栽シート
5a    上面層
5b    中間層
5c    下面層
5d    貫通孔
６    アンカーピン
７    通水シート
８    集水部分
９    支持柱
10    小段部
【図１】
2006118282.tif 000003
【図２】
2006118282.tif 000004
【図３】
2006118282.tif 000005
【図４】
2006118282.tif 000006
【図５】
2006118282.tif 000007
【図６】
2006118282.tif 000008
【図７】
2006118282.tif 000009
【図８】
2006118282.tif 000010
【図９】
2006118282.tif 000011
【図１０】
2006118282.tif 000012
【図１１】
2006118282.tif 000013